(57)【要約】      （修正有）【課題】利用者が携帯電話機でロッカーの料金情報を入手し、かつロッカーに入れた荷物の配送を依頼できるようにする。【解決手段】ロッカー１０の端末装置１２と当該ロッカーの利用者の携帯電話機２０及び運送業者の端末装置３０を通信可能に接続する。ロッカー１０の端末装置１使用期限の過ぎたロッカーの利用者の端末装置に加算金を通知する手段、及び使用開示時に入力される暗証番号及び利用者の連絡先情報等の利用者情報を保存する記憶手段を備え、利用者からの荷物の配送依頼に応じて前記利用者情報を運送業者に送信し、運送業者は前記個人情報にロッカーを開け、荷物を連絡先に配送する。【選択図】図２
2005107923.tif 000002
【特許請求の範囲】
【請求項１】
ロッカーに配置されたロッカー端末装置、該ロッカー端末装置と通信回線網を介して接続された利用者端末装置及び配送者端末装置を有するロッカー管理システムにおいて使用可能なロッカー端末装置であって、
入力手段、該入力手段で入力される少なくとも暗証情報及び利用者連絡先情報を含む入力情報を時間情報と共に記憶する手段、利用者端末装置から送信されるロッカー収納品配送要求を受信する手段、該配送要求に基づき前記記憶手段に記憶された前記入力情報を検索する手段、検索した前記入力情報を前記配送者端末装置に送信する手段を有することを特徴とするロッカー端末装置。
【請求項２】
請求項１に記載されたロッカー端末装置において、
ロッカーの利用時間を検知する手段、ロッカーの利用時間が所定時間を経過したとき、ロッカーの少なくとも加算料金を含む利用状況情報を利用者端末装置に送信する手段を有するロッカー端末装置。
【請求項３】
ロッカー端末装置、該ロッカー端末装置と通信可能に接続された親機、該親機と通信回線網を介して接続された利用者端末装置及び配送者端末装置を有するロッカー管理システムにおいて使用可能なロッカー端末装置であって、
入力手段、該入力手段によって入力された少なくとも暗証情報及び利用者連絡先情報を含む入力情報を前記親機に送信する手段を有することを特徴とするロッカー端末装置。
【請求項４】
ロッカー端末装置、該ロッカー端末装置に通信可能に接続された親機、該親機と通信回線網を介して接続された利用者端末装置及び配送者端末装置を有するロッカー管理システムにおいて使用可能な親機であって、
前記ロッカー端末装置から送信される少なくとも暗証情報及び利用者連絡先情報を含む入力情報を時間情報と共に記憶する手段、利用者端末装置から送信されるロッカー収納品配送要求を受信する手段、該配送要求に基づき前記記憶手段に記憶された前記入力情報を検索する手段、検索した前記入力情報を前記配送者端末装置に送信する手段を有することを特徴とする親機。
【請求項５】
請求項４に記載された親機において、
ロッカーの利用時間を検知する手段、ロッカーの利用時間が所定時間を経過したとき、ロッカーの少なくとも加算料金を含む利用状況情報を利用者端末装置に送信する手段を有する親機。
【請求項６】
ロッカー端末装置、該ロッカー端末装置に通信可能に接続された親機、該親機と通信回線網を介して接続された管理センター装置、該管理センター装置と通信回線網を介して接続された利用者端末装置及び配送者端末装置を有するロッカー管理システムにおいて使用可能なロッカー端末装置であって、
入力手段、該入力手段で入力された少なくとも暗証情報及び利用者連絡先情報を含む入力情報を前記親機に送信する手段を有するロッカー端末装置。
【請求項７】
ロッカー端末装置、該ロッカー端末装置に通信可能に接続された親機、該親機と通信回線網を介して接続された管理センター装置、該管理センター装置と通信回線網を介して接続された利用者端末装置及び配送者端末装置を有するロッカー管理システムにおいて使用可能な親機であって、
複数のロッカー端末装置から送信される少なくとも暗証情報及び利用者連絡先情報を含む入力情報を受信する手段、及び受信した前記入力情報を前記管理センター装置に送信する手段を有することを特徴とする親機。
【請求項８】
ロッカー端末装置、該ロッカー端末装置に通信可能に接続された親機、該親機と通信回線網を介して接続された管理センター装置、該管理センター装置と通信回線網を介して接続された利用者端末装置及び配送者端末装置を有するロッカー管理システムにおいて使用可能な管理センター装置であって、
前記親機から送信される少なくとも暗証情報及び連絡先情報を含む入力情報を時間情報と共に記憶する手段、利用者端末装置から送信される収納品配送要求を受信する手段、該配送要求に基づき前記記憶手段に記憶された入力情報を検索する手段、検索した前記入力情報を前記配送者端末装置に送信する手段を有することを特徴とする管理センター装置。
【請求項９】
請求項８に記載された管理センター装置において、
ロッカーの利用時間を検知する手段、ロッカーの利用時間が所定時間を経過したとき、ロッカーの少なくとも加算料金を含む利用状況情報を利用者端末装置に送信する手段を有する管理センター装置。
【請求項１０】
ロッカー管理用コンピュータに、利用者により入力された少なくとも暗証情報及び利用者連絡先情報を含む入力情報を記憶手段に記憶させる手順、ロッカー利用者端末装置から受信した収納物配送依頼情報からロッカー識別情報を検索する手段、該ロッカー識別情報をキーに前記記憶された当該ロッカーの入力情報を前記記憶手段から検索する手順、及び検索した前記入力情報を配送者端末装置に送信させる手順、を実行させるためのロッカー管理用プログラム。
【請求項１１】
請求項１０に記載されたロッカー管理用プログラムにおいて、前記ロッカー識別情報は暗証情報であるロッカー管理用プログラム。
【発明の詳細な説明】
【技術分野】
【０００１】
本発明は、ロッカーをその利用者と通信可能に接続したロッカー管理システムで使用可能なロッカー端末装置（子機）、親機、管理センター装置、及びロッカー管理用プログラムに関する。
【背景技術】
【０００２】
駅やデパートなどのロッカーを利用する場合、通常は、荷物などを挿入し所定の料金を投入することで施錠し、所定時間内であれば自由に解錠でき所定時間経過後においては経過時間に応じた加算額を投入することで解錠できるようになっている。
このようなロッカーにおいてその管理を管理装置を用いてシステム的に行うものが知られている。例えば、個々のロッカー（より一般的な設備でもよい）に端末装置を設置する一方、複数のロッカーを管理する管理装置を前記端末装置と通信回線で接続して、例えばロッカー室等に設置された複数のロッカーのうち使用されていない空きロッカーを利用者に対して割り当てる場合、ロッカー近傍での混み合うのを防止するため、当該空きロッカーの使用開始時刻および使用終了時刻と、当該空きロッカーの周囲に位置する各周囲ロッカーの使用開始時刻および終了時刻をチェックして、同一時間帯で近隣のロッカーの使用が重ならないように、当該利用者に対する当該空きロッカーの割当可否を判断したり或いはロッカーの施錠・解錠を行う等の管理を行うロッカー管理システムが知られている（特許文献１）。
【０００３】
また、例えば、貸しロッカーをコントロールセンターで遠隔管理して、貸しロッカーの利便性向上を図るためのロッカー遠隔管理システムとして、預入者の情報通信端末機から、コントロールセンターに対するロッカー番号及び情報通信端末機からの識別番号を受信し、受信した施錠依頼に基づき、遠隔操作によって貸しロッカーを施錠し、受信した識別番号をロッカー管理データベースにおける貸しロッカーの管理データとして蓄積し、取出者の情報通信端末機から、コントロールセンターに対する貸しロッカーのロッカー番号及び情報通信端末機からの識別番号を受信し、受信した識別番号を、ロッカー管理データベースにおける貸しロッカーの管理データとして蓄積した施錠依頼に係る識別番号と照合し、照合の結果、識別番号が一致した場合に、その貸しロッカーを遠隔操作によって開錠するのであり、更に、所定の時間経過後も開錠依頼のない貸しロッカーの預け入れ者又は取出者に対しては、預け入れ状態を通知する預入状態通知手段を備えたもの（特許文献２）が知られている。
【０００４】
しかしながら、これらの従来のロッカー管理システムでは、ロッカーの管理が単にロッカーの使用の管理に限られているため、折角ロッカーに端末装置を設置した割にはその利用範囲が限定的であった。
また、何らか事情で荷物を引き取ることができない事態が発生すると、現状では為すすべもなくただ料金の加算を見守るだけということになる。
更に、利用時間が経過した後に荷物を引き出すには、ロッカーまで出かけて行って荷物を引き取るには時間を要するだけでなく、ロッカーから荷物を取り出すのにどのくらいの料金を用意すればよいのか、現状ではロッカーの処に行くか管理者に問い合わせる以外には知ることができず極めて不便である。
【０００５】
【特許文献１】特開２００３−６３６２６号公報
【０００６】
【特許文献２】特開２００３−３０７４２号公報
【発明の開示】
【発明が解決しようとする課題】
【０００７】
本発明の目的は、これら従来のロッカー管理システムを一歩進めて、ロッカー内に入れた荷物を時間内に引き取ることができず、加算料金を払って取り出す場合、事前にその追加料金額を知ることができるようにすると共に、ロッカー内に入れた荷物を物理的に引き取りができない事態が発生した場合に、利用者に代わって荷物等をロッカーから出して、利用者の指定するところに届けることを可能にすることである。
【課題を解決するための手段】
【０００８】
請求項１の発明は、ロッカーに配置されたロッカー端末装置、該ロッカー端末装置と通信回線網を介して接続された利用者端末装置及び配送者端末装置を有するロッカー管理システムにおいて使用可能なロッカー端末装置であって、入力手段、該入力手段で入力される少なくとも暗証情報及び利用者連絡先情報を含む入力情報を時間情報と共に記憶する手段、利用者端末装置から送信されるロッカー収納品配送要求を受信する手段、該配送要求に基づき前記記憶手段に記憶された前記入力情報を検索する手段、検索した前記入力情報を前記配送者端末装置に送信する手段を有することを特徴とするロッカー端末装置である。
請求項２の発明は、請求項１に記載されたロッカー端末装置において、
ロッカーの利用時間を検知する手段、ロッカーの利用時間が所定時間を経過したとき、ロッカーの少なくとも加算料金を含む利用状況情報を利用者端末装置に送信する手段を有するロッカー端末装置である。
請求項３の発明は、ロッカー端末装置、該ロッカー端末装置と通信可能に接続された親機、該親機と通信回線網を介して接続された利用者端末装置及び配送者端末装置を有するロッカー管理システムにおいて使用可能なロッカー端末装置であって、入力手段、該入力手段によって入力された少なくとも暗証情報及び利用者連絡先情報を含む入力情報を前記親機に送信する手段を有することを特徴とするロッカー端末装置である。
請求項４の発明は、ロッカー端末装置、該ロッカー端末装置に通信可能に接続された親機、該親機と通信回線網を介して接続された利用者端末装置及び配送者端末装置を有するロッカー管理システムにおいて使用可能な親機であって、前記ロッカー端末装置から送信される少なくとも暗証情報及び利用者連絡先情報を含む入力情報を時間情報と共に記憶する手段、利用者端末装置から送信されるロッカー収納品配送要求を受信する手段、該配送要求に基づき前記記憶手段に記憶された前記入力情報を検索する手段、検索した前記入力情報を前記配送者端末装置に送信する手段を有することを特徴とする親機である。
請求項５の発明は、請求項４に記載された親機において、ロッカーの利用時間を検知する手段、ロッカーの利用時間が所定時間を経過したとき、ロッカーの少なくとも加算料金を含む利用状況情報を利用者端末装置に送信する手段を有する親機である。
請求項６の発明は、ロッカー端末装置、該ロッカー端末装置に通信可能に接続された親機、該親機と通信回線網を介して接続された管理センター装置、該管理センター装置と通信回線網を介して接続された利用者端末装置及び配送者端末装置を有するロッカー管理システムにおいて使用可能なロッカー端末装置であって、入力手段、該入力手段で入力された少なくとも暗証情報及び利用者連絡先情報を含む入力情報を前記親機に送信する手段を有するロッカー端末装置である。
請求項７の発明は、ロッカー端末装置、該ロッカー端末装置に通信可能に接続された親機、該親機と通信回線網を介して接続された管理センター装置、該管理センター装置と通信回線網を介して接続された利用者端末装置及び配送者端末装置を有するロッカー管理システムにおいて使用可能な親機であって、複数のロッカー端末装置から送信される少なくとも暗証情報及び利用者連絡先情報を含む入力情報を受信する手段、及び受信した前記入力情報を前記管理センター装置に送信する手段を有することを特徴とする親機である。
請求項８の発明は、ロッカー端末装置、該ロッカー端末装置に通信可能に接続された親機、該親機と通信回線網を介して接続された管理センター装置、該管理センター装置と通信回線網を介して接続された利用者端末装置及び配送者端末装置を有するロッカー管理システムにおいて使用可能な管理センター装置であって、前記親機から送信される少なくとも暗証情報及び連絡先情報を含む入力情報を時間情報と共に記憶する手段、利用者端末装置から送信される収納品配送要求を受信する手段、該配送要求に基づき前記記憶手段に記憶された入力情報を検索する手段、検索した前記入力情報を前記配送者端末装置に送信する手段を有することを特徴とする管理センター装置である。
請求項９の発明は、請求項８に記載された管理センター装置において、ロッカーの利用時間を検知する手段、ロッカーの利用時間が所定時間を経過したとき、ロッカーの少なくとも加算料金を含む利用状況情報を利用者端末装置に送信する手段を有する管理センター装置である。
請求項１０の発明は、ロッカー管理用コンピュータに、利用者により入力された少なくとも暗証情報及び利用者連絡先情報を含む入力情報を記憶手段に記憶させる手順、ロッカー利用者端末装置から受信した収納物配送依頼情報からロッカー識別情報を検索する手段、該ロッカー識別情報をキーに前記記憶された当該ロッカーの入力情報を前記記憶手段から検索する手順、及び検索した前記入力情報を配送者端末装置に送信させる手順、を実行させるためのロッカー管理用プログラムである。
請求項１１の発明は、請求項１０に記載されたロッカー管理用プログラムにおいて、前記ロッカー識別情報は暗証情報であるロッカー管理用プログラムである。
【発明の効果】
【０００９】
本発明によれば、ロッカーと、その利用者及び例えば配送業者などの運送業者を相互に通信回線で接続することで、利用者はロッカー側から送信される情報を受信してロッカーの状況、加算額、或いはロッカー内の荷物の配送を手配することができる。即ち、利用者がロッカーに入れた荷物を取りにいけない場合には、利用者に代わって特定の配送業者がロッカーを開けて荷物を取り出し、その荷物を利用者の指定した場所に届けることができる。
また、ロッカー利用時間が経過した後に必要な加算額を利用者の端末装置（例えば携帯電話機）に送信することで、荷物取り出しに必要なロッカー利用料金加算額を知ることができる。
【発明を実施するための最良の形態】
【００１０】
本発明のロッカー管理システムを図面に従って説明する。
図１Ａは本ロッカー管理システムの第１の実施形態を概略的に示すブロック図である。本ロッカー管理システムは、ロッカー端末装置１２を備えたロッカー１０と、ロッカー端末装置１２と通信可能に接続された利用者側端末装置（例えば、携帯電話機）２０及び配送業者などの運送業者の端末装置（運送業者端末装置）３０とからなっている。
【００１１】
図２は本発明のロッカー管理システムで使用されるロッカーの模式的正面図である。ロッカー１０は図示のように複数のロッカーボックス１０ａとロッカー端末装置１２を備える。このロッカー端末装置１２は装置全体を制御するＣＰＵの外に表示部１２２、ロッカーの利用料金の精算部１２４、ロッカーの使用し際して各収容室の番号、暗証番号等を入力するための例えばキーボードからなる入力部 １２６、ロッカー端末装置１２と例えば利用者の携帯電話機等の外部機器との通信を行うための外部Ｉ／Ｆ１２８を備えている。また、１０ｂは各ロッカーボックス１０ａの使用状態を示す例えばＬＥＤ等からなるパイロットランプである。なお、１２ａは利用者端末装置や配送者の端末装置と通信網を介して通信を行うための無線通信用アンテナである。
【００１２】
図３はロッカー端末装置１２を示すブロック図である。
ロッカー端末装置１２は、図示のようにロッカー端末装置１２全体を制御するＣＰＵ１２０、ＣＰＵ１２０で制御される前記表示部１２２、精算部１２４、入力部１２６、例えば入力を知らせるブザー１３０、ロッカー管理プログラム等の動作プログラムを格納したＲＯＭ１３２Ａ、動作用データなどを格納するＲＡＭ１３２Ｂ、利用者の携帯電話装置等と通信を行うため例えばDopa網（登録商標）と接続された無線通信部１３４、携帯電話機等の外部機器と例えばブルートゥース、又はＩｒＤＡ通信を行うための外部Ｉ／Ｆ１３６、利用者情報、ロッカーボックス情報テーブル等を格納した管理用データベース１３８、及びロッカーボックス用電気錠制御部１４０等からなっている。
【００１３】
図４はロッカーボックス情報テーブルの１例を示す図である。
このロッカーボックス情報テーブルは、図示にように各ロッカーボックス番号毎に、利用者の暗証番号情報、利用者の連絡先情報、ロッカーの使用開始日時等のデータが格納されている。
ここで、暗証番号情報は、利用者がロッカーを使用する際にロッカーの入力部１２６から任意に入力した例えば４桁の数字からなる暗証番号である。
【００１４】
図５は利用料金表テーブルである。このテーブルは前記管理用データベース１３８に設けられ各時間毎の料金・加算額が書き込まれている。ロッカー端末装置１２のＣＰＵ１２０はロッカーボックス情報テーブルを所定時間毎にチェックして、利用時間が経過したロッカーについて、その経過時間に応じた加算額をこの利用料金テーブルから読み出して利用者の携帯電話機に通知する。
【００１５】
図６は以上の構成におけるロッカー管理システムの動作手順を説明するためのフロー図であって、図６Ａはロッカーの使用開始のための動作手順を示し、図６Ｂはロッカー使用中におけるロッカー管理動作手順を示す。
まず、ロッカーを利用しようとする場合の動作手順を図６Ａを参照して説明する。
利用者はまずロッカーボックス１０ａの使用中を示すパイロットランプ１０ｃが点灯しているかどうか確認し（Ｓ１０１）、使用中でないロッカーボックスの扉を開き荷物を挿入して扉を閉める（Ｓ１０２）。ここで、荷物を挿入したロッカーボックスの番号と任意に決めた例えば４桁の数字からなる暗証番号を前記入力部１２６のキーボードで入力し（Ｓ１０３）、利用者の連絡先情報（例えば、メールアドレス等）を携帯電話機で直接入力する（Ｓ１０４）。ここで、最初の所定時間例えば１２時間分の料金を投入しロッカーボックスの電子鍵を閉動作させる（Ｓ１０５）。
入力した連絡先情報は当該ロッカーの暗証番号、使用開始日時と共にロッカーボックス情報テーブルに格納され（Ｓ１０６）、ロッカーの使用開始処理が完了する。
【００１６】
続いて、ロッカーの管理動作手順について図６Ｂを参照して説明する。
ロッカーボックスのロッカー端末装置１２は前記ロッカーボックス情報テーブルの日時データ中に開始から所定時間、例えば１２時間を経過したものがあるか否か検索し（Ｓ１０７）、ある場合には（Ｓ１０７、ＹＥＳ）前記連絡先情報に、例えば図７に示すような超過時間及び超過料金即ち加算額、及び配送依頼情報を備えた利用状況通知が利用者の登録した連絡先に送信される（Ｓ１０８）。ここで利用者が利用状況通知文に暗証番号、連絡先住所、電話番号、配送希望日等を記入した配送依頼書をロッカー端末装置１２に送信すると（Ｓ１０９）、ロッカー端末装置１２は配送依頼書中の暗証番号及び配送先情報に基づき、つまりそれらがロッカーボックステーブルに格納されているものと一致するか否かで入力情報の真偽を判別し（Ｓ１１０）、一致していなければ（Ｓ１１０、ＮＯ）、利用者の携帯電話機に配送依頼が無効である旨通知する（Ｓ１１１）。一致しており、入力情報が真と判別したときには（Ｓ１１０、ＹＥＳ）、配送者の端末装置３０に対してロッカーボックスの所在地情報、ロッカーボックス番号、解錠のための暗証番号及び配送先情報を送信する（Ｓ１１２）。通知を受けた配送者は、送信されたロッカーボックスに係る情報を基に、ロッカーボックスを解錠し荷物を指定された配送先に配送する（Ｓ１１３）。なお、その場合のボックスの加算額、配送料は任意の方法で行われる。
【００１７】
次に、図１Ｂは本発明のロッカー管理システムの第２の実施形態を示す図である。
この実施形態では、複数のロッカー１０と、これらのロッカー１０を管理する親機４０と、親機４０の通信機と通信回線網（例えばDopa網（登録商標））を介して接続されたそれぞれ利用者側の端末装置（携帯電話機）２０及び配送者側の端末装置３０とからなっている。
ここで、各ロッカー１０に配置された端末装置（制御装置）と親機４０とは、特定小電力無線もしくはブルートゥース（Blue Tooth）によりで通信可能に接続されている。
【００１８】
図８は第２の実施形態におけるロッカーの端末装置のブロック図である。
図３に示すものとは同図に示す無線通信部１３４を有しない点を除き同一の構成であるので説明は省略する。なお、管理データベース１３８はここに置かず後述する親機４０に置くこともできる。
【００１９】
図９は親機４０の構成を示すブロック図である。親機４０は、ロッカー１０の端末装置１２並びに利用者の端末装置例えば携帯電話機２０及び配送者の端末装置３０と通信回線網を介しての通信、或いは特定小電力無線通信、ブルートゥース等での近距離通信を行う無線通信部４０２、親機全体を制御するための制御部４０４を備え、制御部は、ＣＰＵ、作業用データを蓄積するＲＡＭ、ロッカー管理プログラムを格納したＲＯＭを有している。また制御部４０４にはその電源となる例えば電池４０８が付設されている。更に必要に応じて管理データベース４０６が備えられる。
【００２０】
この第２の実施形態に係るロッカー管理システムにおける利用者が行う荷物預け入れ動作手順は、第１の実施形態のものと同様である。このロッカー管理システムの動作手順を図１０に従って説明する。なお、ロッカー管理システムでは、図６Ａ中の（２）までの動作手順は前記第１の実施形態と同様であるので（２）以降の動作を図１０に従って説明する。
ロッカーの端末装置（この場合子機ともいう）１０から特定小電力無線部を用いて親機４０に暗証番号、連絡先情報、使用開始日時情報を送信し（Ｓ２０１）、親機４０は子機１０からの情報を受信する。子機１０からの情報を受信した親機４０はその無線通信部４０２を介して得た情報をロッカーボックス情報テーブルに入力する（Ｓ２０２）。
また、ロッカーの管理は、図６Ｂにおいてロッカー端末１２が行っている処理をここでは親機４０が行う点を除き、同図に示すものと同様であるので説明を省略する。
このシステムでは所定数例えば１００台のロッカー１０を一つの親機４０で管理することができ、親機４０はその無線制御部４０２の送受信装置を介して利用者端末装置（携帯電話機）及び運送業者端末装置と通信可能である。この実施形態では第１の実施形態のようにロッカー端末装置１２が直接利用者の端末装置２０との通信を行わず、またロッカー管理用プログラムをロッカー端末装置１２に備える必要がないため、ロッカー端末装置１２の機能・記憶容量を絞り込むことができるため、多数のロッカーを管理するシステムとして有効である。
【００２１】
図１Ｃは本ロッカー管理システムの第３の実施形態を概略的に示すブロック図である。このロッカー管理システムは、前記第２の実施形態における親機４０と利用者端末装置（携帯電話機など）２０及び配送者端末装置３０との通信回線網との間に管理センター装置５０を介在させものである。この構成を採ることにより複数の子機１２を管理する親機４０で構成するロッカー群を複数同時に管理することができる。
前記第２の実施形態では親機が狭い区域のロッカーを一括管理していたものをこの第３の実施形態ではより広範な区域に点在するロッカー群を一つの管理センター装置で管理することができる。この場合は運送業者端末装置３０は例えば各地域ごとに複数接続されており、管理センター装置５０のコンピュータは利用者からその管理下にあるロッカー１０から配送依頼を受けると、そのロッカーの位置情報から運送業者を検索し、更に、管理センター装置５０に備えた管理データベースのロッカーボックス情報テーブルから当該利用者の暗証番号、配送先情報を読み出してこれらの情報を当該依頼文と共に配送者に渡す。依頼を受けた運送業者はロッカーの位置情報、暗証番号等を基に指定されたロッカー中の荷物を取り出して指定された荷物の配送先に配達する。
【００２２】
図１１は第３の実施形態におけるセンター装置５０のブロック図である。
図示のように、管理センター装置５０は同装置５０全体を制御するセンターコンピュータを含む制御部５０１、制御部５０１と接続し親機４０を経由して子機（ロッカー端末装置）１２から送信されたデータや管理データベースの内容等の表示を行う表示部５０２、ロッカー管理システム全体の時間制御を行うためのタイマーを備えた計時部５０３、操作部５０４、親機４０、利用者の携帯電話機２０、運送業者の端末装置３０と通信を行うための無線通信部５０５、既に説明したような本ロッカー管理システムの動作に必要な各種データ（例えば、ロッカーのロッカーボックス毎の暗証番号、使用開示時間、利用者情報等）を格納した管理データベース５０６及び電源５０７とからなっている。
【００２３】
図１２はこの第３の実施形態における動作手順を説明するフロー図である。
この動作手順は図１０の（３）までの手順は第２実施形態と同様であるので図１２は図１０の（３）以降の動作手順のみを示している。
図１２を参照すると、子機１２が特定小電力無線部を用いて親機４０に送信した暗証番号、連絡先、日時情報等を、親機は更にその無線通信部４０２により管理センター装置の無線送信部５０５に対して送信し（Ｓ３０１）、管理センター装置５０は送信された情報をその管理データベース５０６のロッカー情報テーブルに入力し（Ｓ３０２）、ロッカーの使用開始のための処理を終了する。
その後のロッカーの管理は、図６Ｂにおいてロッカー端末１２が行っている処理をここでは管理センター装置５０で行う点を除き、同図に示すものと同様であるので説明を省略する。
【００２４】
以上、本発明のロッカー管理システムについて説明したが、ロッカーは必ずしも駅やデパートにある単に一時的な預け入れ用に限らず、本発明を宅配システムに適用して、例えばロッカーを無人の集荷場所として利用することもできる。即ち、ロッカー内に配送を希望する品物を入れて、暗証番号、配送先を入力すると共に、料金を投入することでその情報を運送業者の端末装置に送信し、運送業者がその情報に基づきロッカーに入った品物を配送先に送付することも可能である。その際、セキュリティ対策として、依頼人は予め登録された者に限定し、個人ＩＤの入力を使用条件とし、入力されたＩＤが登録されたものと一致した場合のみ、ロッカーの扉を開くようにすることもできる。
更に、ここでいうロッカーはいわゆる普通に用いられているロッカーに限らずもっと大きな倉庫のようなもの、或いは郵便受けのような小型のものであってもよい。
【００２５】
以上で述べたロッカー管理システムにおけるロッカー管理動作手順は、ロッカー端末装置、親機及びロッカー管理装置のロッカー管理用コンピュータにプログラムをインストールすることにより実行することができる。
即ち、前記プログラムは、前記ロッカー管理用コンピュータに、利用者がロッカー端末装置から入力した情報であって、少なくとも暗証情報及び利用者連絡先情報を含む入力情報を記憶手段に記憶させ、ロッカー利用者端末装置から受信した収納物配送依頼情報中のロッカー識別情報、例えば暗証情報を検索し、検索した暗証情報をキーに前記記憶された当該ロッカーの入力情報から一致した暗証情報を有する入力情報を検索し、かつ検索した前記入力情報を配送者端末装置に送信させる各手順、をそれぞれ実行させるためのものである。
本プログラムは、従来周知のコンピュータ読取可能な記録媒体であるフレキシブルディスク、ＣＤＲＯＭ，ＭＯ等に記録して提供することができる。
【図面の簡単な説明】
【００２６】
【図１】図１Ａ、図１Ｂ、図１Ｃは、それぞれ本ロッカー管理システムの第１、第２、第３の実施形態を概略的に示すブロック図である。
【図２】本発明のロッカー管理システムで使用されるロッカーの模式的正面図である。
【図３】ロッカー端末装置を示すブロック図である。
【図４】ロッカーボックス情報テーブルの１例を示す図である。
【図５】利用料金表テーブルを示す図である。
【図６】ロッカー管理システムの動作手順を説明するためのフロー図であり、図６Ａはロッカーの使用開始のための動作手順を、また、図６Ｂはロッカーの管理動作手順をそれぞれ説明するフロー図である。
【図７】利用状況通知文の１例を示す図である。
【図８】第２の実施形態におけるロッカーの端末装置の構成を示すブロック図である。
【図９】親機の構成を示すブロック図である。
【図１０】第２のロッカー管理システムにおける動作手順を示す図である。
【図１１】第３の実施形態における管理センター装置のブロック図である。
【図１２】第３の実施形態における動作手順を示すフロー図である。
【符号の説明】
【００２７】
１０・・・ロッカー、１２・・・ロッカー端末装置（子機）、２０・・・利用者側端末装置（携帯電話機）、３０・・・運送業者端末装置、４０・・・親機、５０・・・管理センター装置。
【図１】
2005107923.tif 000003
【図２】
2005107923.tif 000004
【図３】
2005107923.tif 000005
【図４】
2005107923.tif 000006
【図５】
2005107923.tif 000007
【図６】
2005107923.tif 000008
【図７】
2005107923.tif 000009
【図８】
2005107923.tif 000010
【図９】
2005107923.tif 000011
【図１０】
2005107923.tif 000012
【図１１】
2005107923.tif 000013
【図１２】
2005107923.tif 000014